(57)【要約】【課題】大きなセルで運用可能な基地局を提供する。【解決手段】ユーザ端末と通信する無線通信基地局であって、セルを分割して複数の領域を構成する。複数の領域に対応した指向方向を設定する複数のアンテナウェイトを保持し、複数の指向方向の中から１つを選択し、選択された指向方向に対応するアンテナウェイトを決定する。決定した指向方向を所定の時間保持し、所定の時間の後に複数のアンテナウェイトの中から他の１つを再選択して指向方向を決定する。以後、このアンテナウェイト選択手順を繰り返す。【選択図】図３
2013251841.tif 000002
【特許請求の範囲】
【請求項１】
セルを分割した複数の領域に応じた指向方向に電波を送信するための複数のアンテナと、
所定時間ごとに、前記複数の領域の一部を選択する領域セレクタと、
前記複数の領域に対応した指向方向を設定するためのアンテナ毎のアンテナウェイトを該領域に対応して保持し、前記領域セレクタで選択された領域に対応するアンテナウェイトを決定するアンテナウェイト保持部と、
制御信号及びデータ信号のいずれか又は双方を含む送信信号と、決定されたアンテナウェイトとに基づいて前記アンテナからの出力信号を作成するウェイト処理部と
を備え、
前記アンテナから、アンテナウェイトに応じた指向方向の電波が送出され、
前記所定時間ごとに、指向方向が切り替わる無線通信基地局。
【請求項２】
前記領域セレクタによる領域の切り替えを、スロット又はＯＦＤＭのシンボルの境界で実施されるように制御するタイミング制御部
をさらに備える請求項１に記載の無線通信基地局。
【請求項３】
前記無線通信基地局は複数のセクタを有し、各セクタが前記複数の領域にそれぞれ分割され、
前記領域セレクタで選択される各セクタでの領域は、互いに隣接しないように選択される請求項１に記載の無線通信基地局。
【請求項４】
各セルでの前記複数の領域は、基地局の周りを特定の方向に回転する順番でセル毎に識別子が付与され、
前記領域セレクタは、前記各セルで選択される領域の識別子が、全セルで同一になるように領域を順次選択する請求項３に記載の無線通信基地局。
【請求項５】
前記ウェイト処理部は、制御信号に、決定されたアンテナウェイトを乗算して出力信号を作成し、
無線通信基地局は、
データ信号に対して指向方向を制御するデータ指向処理部と、
前記ウェイト処理部からの制御信号と、前記データ指向処理部からのデータ信号を多重してアンテナに出力する多重化部と
をさらに備える請求項１に記載の無線通信基地局。
【請求項６】
前記ウェイト処理部は、制御信号に、決定されたアンテナウェイトを乗算して出力信号を作成し、
無線通信基地局は、
データ信号に対してＭＩＭＯ処理を行うＭＩＭＯ処理部と、
前記ウェイト処理部からの制御信号と、前記ＭＩＭＯ処理部からのデータ信号を多重してアンテナに出力する多重化部と
をさらに備える請求項１に記載の無線通信基地局。
【請求項７】
前記制御信号は送信周期の異なる複数の制御信号を含み、
前記領域セレクタは、前記複数の制御信号のそれぞれに対して、前記アンテナウェイトによる指向方向を個別に設定し、
各制御信号について、対応する送信周期毎に領域が変更されるように領域が選択される請求項１に記載の無線通信基地局。
【請求項８】
前記制御信号は送信周期の異なる複数の制御信号を含み、
選択された領域に対応する指向方向に該複数の制御信号は送信され、
前記領域セレクタは、所定のルールで領域を順次選択し、制御信号の異なる送信周期が重なるタイミングにおいては、前記ルールから所定のオフセット分ずらした領域を選択する請求項１に記載の無線通信基地局。
【請求項９】
複数の制御信号のうちの２つの送信周期の比と、前記複数の領域の数とが同じ場合に、前記タイミングでオフセット分ずらした領域を選択する請求項８に記載の無線通信基地局。
【請求項１０】
制御信号とデータ信号を多重する多重化部をさらに備え、
制御信号とデータ信号に対して、前記アンテナウェイトによる指向方向を別々に設定し、
前記データ信号に設定する指向方向は、前記データ信号の送信宛先であるユーザ端末が所在する指向方向となるように設定される請求項１に記載の無線通信基地局。
【請求項１１】
前記複数のアンテナを介して受信した受信信号と、決定されたアンテナウェイトとを乗算する受信側ウェイト処理部と
前記受信側ウェイト処理部から出力された信号を復調する受信処理部と
をさらに備え、
前記所定時間ごとに、選択される領域が切り替わる請求項１に記載の無線通信基地局。
【請求項１２】
所定時間ごとに、前記複数の領域の一部を選択する受信側領域セレクタと、
前記複数の領域に対応した指向方向を設定するためのアンテナ毎のアンテナウェイトを該領域に対応して保持し、前記受信側領域セレクタで選択された領域に対応するアンテナウェイトを決定する受信側アンテナウェイト保持部と
をさらに備え、
前記受信側ウェイト処理部は、前記受信側アンテナウェイト保持部で決定されたアンテナウェイトを用いる請求項１１に記載の無線通信基地局。
【発明の詳細な説明】
【技術分野】
【０００１】
本発明は、無線通信基地局に係り、特に、指向性制御によりセルを拡大する無線通信基地局に関する。
【背景技術】
【０００２】
本技術分野の背景技術として、特開２００３−３４７９９２公報（特許文献１）に開示された技術がある。この公報には、「無線通信システムは、報知チャネルの全ブロック数と、送信ブロック数とに基づいて、受信端末２が全ブロックを受信できるための送信ブロック数に関する条件を算出するとともに、この条件とブロック単位時間と管轄角度に基づいて、回転角速度に関する条件を算出する算出部１ｊと、基地局１において、回転角速度に関する条件に基づいて決定された回転角速度で、ビームを回転させるように制御するビーム制御部１ｋとを有する」ことが記載されている。
また、他の背景技術として、特開平１０−１７３５８５公報（特許文献２）がある。この公報には、例えば、指向性を回転させることが記載されている。
【先行技術文献】
【特許文献】
【０００３】
【特許文献１】特開２００３−３４７９９２公報
【特許文献２】特開平１０−１７３５８５公報
【発明の概要】
【発明が解決しようとする課題】
【０００４】
セルラ無線通信において、１台の基地局はある有限な範囲（セル）に位置する端末と通信することが可能である。セルが大きいほど設置する基地局数を低減することができるため、大きなセルで運用可能な基地局が要求される。セルを拡大するには、より遠くに電波を届かせればよい。送信電力を増大させれば電波は遠くに届くが、例えば基地局のパワーアンプの線形性が保つためにコストが増すなど、ハードウェアの制約がある。
【０００５】
一方、遠くに電波を届かせるために、アンテナの指向性を制御し、アンテナ利得を高める方法がある。ただし、アンテナ利得は限られた方向（指向方向）では高くなるが、同時にアンテナ利得の低い方向が生じる。特許文献１には制御信号をアンテナの指向方向にのみ送信し、前記アンテナの指向方向を連続的に回転させる方法が記載されている。しかし、以下に示すようにこの方法でセルを拡大して無線通信を実施することはできない。
【０００６】
例えば、近年広く用いられているＭＩＭＯ−ＯＦＤＭ（ｍｕｌｔｉｐｌｅ−ｉｎｐｕｔ  ａｎｄ  ｍｕｌｔｉｐｌｅ−ｏｕｔｐｕｔ  −  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式などの、無線通信中の電波伝搬環境の時間的な変化が小さいことを前提にしたシステムでは、指向方向を連続的変化させると通信特性が劣化する。また、指向方向を連続的に変化させるには、多くのアンテナ素子を必要としてコストが増大し、連続的な変化を制御する信号処理が複雑になる。さらに、報知情報以外の信号、例えばデータ信号をより遠くに届かせることができない。
以上の点に鑑み、本発明はより大きなセルで運用可能な基地局を提供することを目的とする。
【課題を解決するための手段】
【０００７】
上記の課題を解決するために、特許請求の範囲に記載の構成を採用する。
本発明の解決手段によると、
セルを分割した複数の領域に応じた指向方向に電波を送信するための複数のアンテナと、
所定時間ごとに、前記複数の領域の一部を選択する領域セレクタと、
前記複数の領域に対応した指向方向を設定するためのアンテナ毎のアンテナウェイトを該領域に対応して保持し、前記領域セレクタで選択された領域に対応するアンテナウェイトを決定するアンテナウェイト保持部と、
制御信号及びデータ信号のいずれか又は双方を含む送信信号と、決定されたアンテナウェイトとに基づいて前記アンテナからの出力信号を作成するウェイト処理部と
を備え、
前記アンテナから、アンテナウェイトに応じた指向方向の電波が送出され、
前記所定時間ごとに、指向方向が切り替わる無線通信基地局が提供される。
【発明の効果】
【０００８】
本発明によれば、より大きなセルで運用可能な基地局を提供することが可能である。
【図面の簡単な説明】
【０００９】
【図１】第１の実施例の無線通信システムの領域分割の例を示す図。
【図２】第１の実施例の指向方向の設定例を示す図。
【図３】第１の実施例の基地局の回路図を示す図。
【図４】第２の実施例の無線通信システムの領域分割の例を示す図。
【図５】第２の実施例の基地局の回路図を示す図。
【図６】第３の実施例の無線通信システムの基地局の回路図を示す図。
【図７】第４の実施例の指向方向の設定例を示す図。
【図８】第４の実施例の無線通信システムの基地局の回路図を示す図。
【図９】第５の実施例の指向方向の設定例を示す図。
【図１０】ｉｎｄｅｘが増加するごとに指向方向を１つずつ変化させた場合の指向方向の設定例。
【図１１】第６の実施例の無線通信システムの基地局の回路図を示す図。
【図１２】アンテナウェイト保持部２０１で保持する表の例。
【図１３】ユーザ所在領域保持部２２０で保持する表の例。
【図１４】ユーザ端末配置の想定例。
【発明を実施するための形態】
【００１０】
上記した以外の課題、構成及び効果は、以下の実施形態の説明により明らかにされる。
以下、図面を用いて各実施例を説明する。
１．概要
本願は上記課題を解決する手段を複数含んでいるが、その一例を挙げるならば、ユーザ端末と通信する無線通信基地局であって、セルを分割して複数の領域を構成し、上記複数の領域に対応した指向方向を設定する複数のアンテナウェイトを保持し、上記複数の指向方向の中から１つを選択して対応するアンテナウェイトを決定し、上記決定した指向方向を所定の時間保持し、上記所定の時間の後に上記複数のアンテナウェイトの中から１つを再選択して指向方向を決定し、以後、上記のアンテナウェイト選択手順を繰り返す。
【００１１】
２．実施例１
図１は、第１の実施例の無線通信システムの領域分割の例を示す図である。
基地局１００がセル１１０に対して（セル内にいる無線端末に対して）、無線通信サービスを提供している。セル１１０は例えば領域１、２、３に分割される。基地局１００は領域１、２、３のいずれかにのみ指向方向を設定する。これによって電波の送信方向を１／３に削減できるため、送信電力密度が３倍になり、それに応じて電波の到達距離が延伸される。つまりセル１１０を拡大することができる。
【００１２】
なお、基地局は、マクロ基地局と称されることもある。図１は、ひとつの基地局を示すが、無線通信システム内には複数の基地局が配置される。また、セルを３つの領域に分割する例に示すが、これに限らず複数の領域に分割できる。また、指向方向は、複数の領域のうちのひとつに限らず、２つ以上の領域が一度に選択されるなど、複数の領域の一部が選択されてよい。
【００１３】
図２は、第１の実施例の指向方向の設定例を示す図である。
指向方向をある領域に設定すると、その他の領域には電波が届かなくなる。電波がセル内の全領域に届くようにするため、時間で分割して各領域に指向方向を設定する。図２では、領域１、２、３の順に指向方向を設定する例が示されている。
【００１４】
指向方向が通信中に変化すると、一般に通信特性は劣化する。特に、近年広く採用されているＭＩＭＯ−ＯＦＤＭ方式においては、ＯＦＤＭシンボルの時間内に指向方向を変化させると大きく通信特性が劣化してしまう。これを回避するため、領域１、２、３の切り替えはＯＦＤＭシンボルの境界で実施されるように制御される。図２には送信信号のスロットが図示されており、これが例えばＯＦＤＭシンボルに相当する。指向方向の切り替えによる領域選択がスロット期間中に発生しないようにするため、スロットの変わり目と指向方向の切り替えが、切り替えタイミング信号に同期するように制御されている。
【００１５】
図３は、第１の実施例の基地局の回路図を示す図である。
本実施例の基地局１００は、例えば領域セレクタ２００、２１０、アンテナウェイト保持部２０１、２１１、送信処理部２０２、受信処理部２１２、ウェイト乗算部２０３、２１３、送受信スイッチ２０４、アンテナ２０５、及び、タイミング制御部２１４を有する。
領域セレクタ２００、２１０は指向方向（領域）を選択するブロックである。領域セレクタ２００が送信の指向方向を選択し、領域セレクタ（受信側領域セレクタ）２１０が受信の指向方向を選択する。送受信の両方で同一の指向方向を選択する場合には、一方の領域セレクタ（例えば２００）が他方の領域セレクタ（例えば２１０）の動作を兼ねることができる。
【００１６】
領域セレクタ２００、２１０で選択された領域に応じたアンテナウェイトを、アンテナウェイト保持部２０１、２１１から取得する。例えば、アンテナウェイト保持部２０１、２１１は、領域セレクタ２００、２１０から選択された領域の識別情報を入力し、選択された領域の識別情報に対応するアンテナウェイトを、ウェイト乗算部２０３に出力する。アンテナウェイト保持部２０１が送信用、アンテナウェイト保持部２１１が受信用である。送受信で同一のアンテナウェイトを適用するのであれば、一方のアンテナウェイト保持部（例えば２０１）が他方のアンテナウェイト保持部（例えば２１１）の動作を兼ねることができる。
【００１７】
図１２はアンテナウェイト保持部２０１、２１１で保持する表の例である。指向方向で選択する領域に対して、個々のアンテナに対応したウェイトが保持されている。領域に対応したアンテナウェイトにより、アンテナから出力される電波の指向方向がその領域に向く。アンテナウェイト保持部２０１、２１１は、入力される領域を図１２の表の中から探し出し、対応するアンテナウェイトを出力する。アンテナウェイトの値は、基地局の動作前に固定値が設定される。なお、以下の各実施例において、アンテナウェイト保持部の構成は同様のものを用いることができる。
【００１８】
送信処理部２０２は上位レイヤから入力された信号を処理して、実際に送信する信号に変換する。送信する信号は、例えば制御信号及びデータ信号のいずれか又は双方を含む。送信処理部２０２での処理には送信信号のランダム化や、誤り訂正符号化、変調処理などが含まれる。
ウェイト乗算部（ウェイト処理部）２０３は送信信号処理部２０２が生成した信号と、アンテナウェイト保持部２０１から入力されるウェイトを乗算する。
【００１９】
送受信スイッチ２０４はウェイト乗算部２０３が生成した信号をアンテナ２０５に向けて出力し、アンテナ２０５から入力された信号をウェイト乗算部２１３に向けて出力する。送受信スイッチ２０４には時間多重複信方式ではスイッチが利用され、周波数多重複信方式では分波器が用いられる。
ウェイト乗算部（受信側ウェイト処理部）２１３は送受信スイッチ２０４から入力される信号とアンテナウェイト保持部２１１から入力されるウェイトを乗算する。
受信処理部２１２はウェイト乗算部２１３から入力される信号を処理して、結果を上位レイヤに向けて出力する。受信処理部２１２での処理には受信信号の復調処理や、誤り訂正復号、ランダム化の解除などが含まれる。
【００２０】
タイミング制御部２１４は領域セレクタ２００と送信処理部２０２、領域セレクタ２１０と受信処理部２１２の処理タイミングを制御する。指向方向の切り替えタイミングはタイミング制御部２１４によって制御される。タイミング制御部２１４から出力される信号に従って、領域セレクタ２００、２１０の出力が切り替わることで電波の指向方向が切り替わる。送信処理部２０２と受信処理部もタイミング制御部２１４の出力信号に従って処理タイミング制御を行う。タイミング制御部２１４は指向方向の切り替えタイミングでカウントを開始し、カウント値がしきい値を超えたら指向方向を切り替え、カウント値をクリアしてからカウントを再開する。上述のしきい値によって指向方向がある方向に保持される時間を制御することができる。上述のしきい値は、一例として、ＯＦＤＭシンボル時間またはその複数倍に設定できる。これによって、指向方向が送信信号あるいは受信信号と同期して切り替えられるため、指向方向の変化によって生じる通信特性の劣化は回避しつつ、セル内の全ての領域に対して電波を送出できる。また、指向方向の切り替えはアンテナウェイトの切り替えで実現されるため処理が簡易であり、指向方向を連続的に変化させる場合と比べて回路規模を小さくできる。
【００２１】
なお、上述のタイミング制御部２１４−１、２２４−２はそれぞれ、領域セレクタ２１０の内部にあってもよい。領域選択を送受信のどちらかのみで実施することも可能である。例えば、受信時にはより高度なアンテナウェイト処理を受信処理部２１２内で実施する場合には、領域セレクタ２１０、アンテナウェイト保持部２１１、ウェイト乗算部２１３、タイミング制御部２１４−２を省略することが可能である。
【００２２】
３．実施例２
図４は、第２の実施例の無線通信システムの領域分割の例を示す図である。
この例は３セクタ構成の無線通信システムのセルを拡大する例となっている。基地局１００が３つのセル１１０、１１１、１１２に対して無線通信サービスを提供している。このようにセルを構成する場合を３セクタ構成と呼び、各セルをセクタと呼ぶことがある。セル１１０、１１１、１１２はそれぞれ領域１、２、３に分割される。例えば、領域セレクタで選択される各セクタでの領域は、互いに隣接しないように選択される。例えば領域番号（又は識別子）の並び順は、基地局の周りを特定の方向に回転する順番でセル毎に付与される。例えば、領域番号の並び順は基地局の周りを特定の方向に全てのセル１１０、１１１、１１２で同一に設定する。例えば基地局１００は領域１、２、３のいずれかにのみ指向方向を設定する。また、同時刻では全てのセクタが同じ領域番号の領域を選択して送信電波の指向方向を設定できる。
【００２３】
３セクタ構成においては、セクタ境界において隣り合うセクタの電波が干渉となって通信特性が劣化する課題がある。本実施例の構成を採用すれば、全セクタで同一番号の領域が選択され、それらは隣接することがないため、相互の干渉を与えにくい。従って、セクタ境界における干渉による通信特性の劣化を低減することができる。なお、３セクタ以外にも適宜の数のセクタを有してもよい。
【００２４】
図５は、第１の実施例の基地局の回路図を示す図である。
本実施例の基地局は、領域セレクタ２００、２１０、タイミング制御部２１４と各セクタに対応した３つのセクタ処理部２１５を備える。
各セクタ処理部は、アンテナウェイト保持部２０１、２１１、送信処理部２０２、受信処理部２１２、ウェイト乗算部２０３、２１３、送受信スイッチ２０４、及び、アンテナ２０５を有する。
【００２５】
セクタ処理部２１５−１、２１５−２、２１５−３は、それぞれ３つの異なるセクタに対応した送受信信号を処理するブロックである。その他の各機能ブロックの動作は実施例１（図３）と同じであるため、説明を省略する。
３つのセクタ処理部２１５は１つの領域セレクタ２００、２１０を共有する構成となっている。これにより、３つのセクタ処理部で同一の領域が選択されるようになっている。全セクタで同一番号の領域が選択され、それらは隣接することがないため、相互の干渉を与えにくい。従って、セクタ境界における干渉による通信特性の劣化を低減することができる。
また、各セクタで同一のアンテナウェイトを用いることにすれば、各セクタ処理部２１５内にあるアンテナウェイト保持部２０１、２１１をまとめてひとつにし、全セクタ処理部２１５で共用することも可能である。
【００２６】
４．実施例３
本実施例では、ＭＩＭＯ−ＯＦＤＭを採用する通信方式において、制御信号へのアンテナウェイト乗算とデータ信号へのＭＩＭＯプリコーディングを別々に適用し、制御信号とデータ信号それぞれに最適なアンテナウェイトを乗算する。
【００２７】
図６は、第３の実施例の無線通信システムの基地局の回路図を示す図である。
本実施例の基地局１００は、領域セレクタ２００、アンテナウェイト保持部２０１、送信データ処理部２０２、受信データ処理部２１２、ウェイト乗算部２０３、送受信スイッチ２０４、アンテナ２０５、送信制御信号処理部２０６、受信制御信号処理部２１６、ＭＩＭＯプリコーダ２０７、ＭＩＭＯデコーダ２１７、送信ＯＦＤＭ処理部（多重化部）２０８、及び、受信ＯＦＤＭ処理部（逆多重化部）２１８を備える。さらに、上述の実施例１におけるタイミング制御部を備えてもよい。この実施例及び以降の実施例では、タイミング制御部は、領域セレクタ内部にあるとして説明する。
【００２８】
領域セレクタ２００は指向方向を選択するブロックである。領域セレクタ２００が制御信号の送信の指向方向を選択する。領域セレクタ２００で選択された領域に応じたアンテナウェイトを、アンテナウェイト保持部２０１から取得する。送信制御信号処理部２０６は上位レイヤから入力された制御信号を処理して、実際に送信する信号に変換する。送信制御信号処理部２０６での処理には送信制御信号のランダム化や、誤り訂正符号化、変調処理などが含まれる。ウェイト乗算部２０３は送信制御信号処理部２０６が生成した信号と、アンテナウェイト保持部２０１から入力されるウェイトを乗算する。
【００２９】
送信データ処理部２０２は上位レイヤから入力されたデータ信号を処理して、実際に送信する信号に変換する。送信データ処理部２０２での処理には送信信号のランダム化や、誤り訂正符号化、変調処理などが含まれる。ＭＩＭＯプリコーダ（データ指向処理部、ＭＩＭＯ処理部）２０７は送信データ処理部２０２から入力された信号に対して、ＭＩＭＯプリコーディング処理を適用する。なお、ＭＩＭＯ以外の適宜の指向方向を制御する処理を適用してもよい。送信ＯＦＤＭ処理部２０８はウェイト乗算部２０３とＭＩＭＯプリコーダ２０７から入力された各信号をサブキャリアに割り当て、フーリエ変換を適用し、サイクリックプレフィックスを付加することでＯＦＤＭシンボルを生成する。例えば、サブキャリアによって指向方向が変わり、制御信号とデータ信号それぞれに指向方向が決まる。
【００３０】
送受信スイッチ２０４は送信ＯＦＤＭ処理部２０８が生成した信号（ＯＦＤＭシンボル）をアンテナ２０５に向けて出力し、アンテナ２０５から入力された信号を受信ＯＦＤＭ処理部２１８に向けて出力する。送受信スイッチ２０４には時間多重複信方式ではスイッチが利用され、周波数多重複信方式では分波器が用いられる。
受信ＯＦＤＭ処理部２１８は、送受信スイッチ２０４から入力された信号から、サイクリックプレフィックスを除去し、逆フーリエ変換を適用して、サブキャリア信号を出力する。ここでは上りリンクにＯＦＤＭ方式が採用された場合の例を示したが、これに限定するものではない。例えば、ＳＣ−ＦＤＭＡ（Ｓｉｎｇｌｅ−Ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）方式が採用されている場合には、ＳＣ−ＦＤＭＡの受信処理をここで適用すればよい。
【００３１】
ＭＩＭＯデコーダ（データ指向処理部、ＭＩＭＯ受信処理部）２１７は、受信ＯＦＤＭ処理部２１８から入力された信号にＭＩＭＯデコード処理を適用する。受信データ処理部２１２はＭＩＭＯデコーダ２１７−１から入力される信号を処理して、得られたデータを上位レイヤに向けて出力する。受信処理部２１２での処理には受信信号の復調処理や、誤り訂正復号、ランダム化の解除などが含まれる。
【００３２】
受信制御信号処理部２１６はＭＩＭＯデコーダ２１７−２から入力される信号を処理して、得られた制御信号を上位レイヤに向けて出力する。受信処理部２１６には受信信号の復調処理や、誤り訂正復号、ランダム化の解除などが含まれる。
上述のように、本実施例は、ＭＩＭＯ−ＯＦＤＭを採用する通信方式において、制御信号へのアンテナウェイト乗算とデータ信号へのＭＩＭＯプリコーディングを別々に適用し、制御信号とデータ信号それぞれに最適なアンテナウェイトを乗算することが可能である。
【００３３】
基地局が送信する制御信号はセル内にある全ての端末が受信する信号であるため、アンテナウェイトをある特定の端末に対して最適化することはできない。一方、データ信号はある特定の端末に向けて送信される信号であるため、その端末に最適なアンテナウェイトを適用することが可能である。ＭＩＭＯプリコーディングはそのようなアンテナウェイトを適用する信号処理である。本実施例では、ウェイト乗算部２０３で、指向方向制御によるアンテナウェイトの切り替えを制御信号に対して実施する。データ信号についてはＭＩＭＯプリコーダ２０７でＭＩＭＯプリコーディングを適用する構成を取る方法を示している。これによってデータ信号の通信特性を改善することができる。
【００３４】
５．実施例４
図７は、第４の実施例の指向方向の設定例を示す図である。
一般に、無線通信においては端末に報知する制御信号は複数存在する。例えば、図７のｂｒｏａｄｃａｓｔ１、ｂｒｏａｄｃａｓｔ２は送信周期の異なる２種の制御信号を示している。これらは信号の送出周期が異なり、図７の例ではｂｒｏａｄｃａｓｔ２の送信周期はｂｒｏａｄｃａｓｔ１の送信周期の３倍となっている。制御信号はなるべく早く端末に届くのが望ましいため、制御信号を送出するたびに（送信周期毎に）指向方向を切り替えるのが良い。図７はそのような指向方向切り替えの様子を示しており、枠内の数字が指向方向を表している。図７からわかるように、そのような制御をするとｂｒｏａｄｃａｓｔ１とｂｒｏａｄｃａｓｔ２で指向方向の異なる場合が生じうる。従って、ｂｒｏａｄｃａｓｔ１とｂｒｏａｄｃａｓｔ２の指向方向の制御を別々に実施する必要がある。なお、この例では２種の制御信号を示すが、それ以上の数あってもよい。
【００３５】
図８は、第４の実施例の無線通信システムの基地局の回路図を示す図である。
本実施例の基地局は、領域セレクタ２００−１、２００−２、アンテナウェイト保持部２０１、送信データ処理部２０２、受信データ処理部２１２、ウェイト乗算部２０３−１、２０３−２、送受信スイッチ２０４、アンテナ２０５、送信制御信号処理部２０６−１、２０６−２、受信制御信号処理部２１６、ＭＩＭＯプリコーダ２０７、ＭＩＭＯデコーダ２１７、送信ＯＦＤＭ処理部２０８、及び、受信ＯＦＤＭ処理部２１８を備える。
【００３６】
領域セレクタ２００−１、２００−２はそれぞれ送信周期の異なるｂｒｏａｄｃａｓｔ１、ｂｒｏａｄｃａｓｔ２の指向方向を選択するブロックである。領域セレクタ２００−１、２００−２がｂｒｏａｄｃａｓｔ１、ｂｒｏａｄｃａｓｔ２制御信号の送信の指向方向を選択する。領域セレクタ２００−１、２００−２で選択された領域に応じたアンテナウェイトを、アンテナウェイト保持部２０１から取得し、それぞれウェイト乗算部２０３−１、２０３−２へ向けて出力する。送信制御信号処理部２０６−１、２０６−２は、それぞれ上位レイヤから入力されたｂｒｏａｄｃａｓｔ１、ｂｒｏａｄｃａｓｔ２制御信号を処理して、実際に送信する信号に変換する。送信制御信号処理部２０６−１、２０６−２での処理には送信制御信号のランダム化や、誤り訂正符号化、変調処理などが含まれる。ウェイト乗算部２０３−１、２０３−２は、それぞれ送信制御信号処理部２０６−１、２０６−２が生成した信号と、アンテナウェイト保持部２０１から入力されるウェイトを乗算する。
【００３７】
送信データ処理部２０２は上位レイヤから入力されたデータ信号を処理して、実際に送信する信号に変換する。送信データ処理部２０２には送信信号のランダム化や、誤り訂正符号化、変調処理などが含まれる。ＭＩＭＯプリコーダ２０７は送信データ処理部２０２から入力された信号に対して、ＭＩＭＯプリコーディング処理を適用する。
【００３８】
送信ＯＦＤＭ処理部２０８はウェイト乗算部２０３−１、２０３−２とＭＩＭＯプリコーダ２０７からの入力をサブキャリアに割り当て、フーリエ変換を適用し、サイクリックプレフィックスを付加することでＯＦＤＭシンボルを生成する。
送受信スイッチ２０４は送信ＯＦＤＭ処理部２０８が生成した信号をアンテナ２０５に向けて出力し、アンテナ２０５から入力された信号を受信ＯＦＤＭ処理部２１８に向けて出力する。送受信スイッチ２０４には時間多重複信方式ではスイッチが利用され、周波数多重複信方式では分波器が用いられる。
【００３９】
受信ＯＦＤＭ処理部２１８は、送受信スイッチ２０４から入力された信号から、サイクリックプレフィックスを除去し、逆フーリエ変換を適用して、サブキャリア信号を出力する。ここでは上りリンクにＯＦＤＭ方式が採用された場合の例を示したが、これに限定するものではない。例えば、ＳＣ−ＦＤＭＡ方式が採用されている場合には、ＳＣ−ＦＤＭＡの受信処理をここで適用すればよい。ＭＩＭＯデコーダ２１７は、受信ＯＦＤＭ処理部２１８から入力された信号にＭＩＭＯデコード処理を適用する。受信処理部２１２はＭＩＭＯデコーダ２１７から入力される信号を処理して、得られたデータを上位レイヤに向けて出力する。受信処理部２１２での処理には受信信号の復調処理や、誤り訂正復号、ランダム化の解除などが含まれる。
【００４０】
受信制御信号処理部２１６はＭＩＭＯデコーダ２１７から入力される信号を処理して、得られた制御信号を上位レイヤに向けて出力する。受信処理部２１６には受信信号の復調処理や、誤り訂正復号、ランダム化の解除などが含まれる。
本実施例では、ｂｒｏａｄｃａｓｔ１、ｂｒｏａｄｃａｓｔ２は２種の制御信号に対して別々に領域セレクタ２００−１、２００−２を有することで、ｂｒｏａｄｃａｓｔ１とｂｒｏａｄｃａｓｔ２の指向方向の制御を別々に実施することを可能としている。
【００４１】
なお、ここでは制御信号を２種としたが、制御信号の種類はより多くてもよく、その場合には制御信号の種類に応じて領域セレクタ２００、送信制御信号処理部２０６、ウェイト乗算部２０３を準備すればよい。ここで、制御信号の種類は、送信周期により分類されたものでもよく、すなわち同じ送信周期の複数の制御信号がひとつの種別（グループ）に分類されてもよい。この場合、送信周期毎に領域セレクタ２００、送信制御信号処理部２０６、ウェイト乗算部２０３を備えてもよい。
【００４２】
６．実施例５
図９は、第５の実施例の指向方向の設定例を示す図である。
一般に、無線通信においては端末に報知する制御信号は複数存在する。例えば、図９のｂｒｏａｄｃａｓｔ１、ｂｒｏａｄｃａｓｔ２は送信周期の異なる２種の制御信号を示している。これらは信号の送出周期が異なり、図９の例では、ｂｒｏａｄｃａｓｔ２の送信周期はｂｒｏａｄｃａｓｔ１の送信周期の３倍となっている。これらの複数の制御信号は、例えば同一パケットで送信される場合など、分割して送信できない場合がある。その際には実施例４の構成をとることができない。図９のｂｒｏａｄｃａｓｔ１、ｂｒｏａｄｃａｓｔ２に記された丸印は、制御信号それぞれの送出タイミングを示している。ｉｎｄｅｘは全ての送信タイミングに連続番号を付与したものである。ａｎｔｅｎｎａ  ｄｉｒｅｃｔｉｏｎは本実施例で設定した指向方向を示している。
【００４３】
ここで、図１０を参照して指向方向の切り替えによる課題を説明する。
図１０は、ｉｎｄｅｘが増加するごとに指向方向を１つずつ変化させた場合の指向方向の設定をしめしている。指向方向は１から３まで順に増加し、また１から増加させている。この時、ｂｒｏａｄｃａｓｔ２の送信タイミングの指向方向設定を見ると、指向方向が毎回領域１に向いていることがわかる。従って、領域２、３へはｂｒｏａｄｃａｓｔ２が送出されないという課題が発生する。
【００４４】
本実施例では、図９に示すように、ｂｒｏａｄｃａｓｔ２の送信タイミングの指向方向は、領域１、２、３の全てに割り当てられていて、上述の課題が解決されていることがわかる。本実施例では、指向方向を表す番号に周期的にオフセットが加算されるようにして、上述の課題している。具体的には、図９の式３００によって指向方向を算出することができる。
ａｎｔｅｎｎａ  ｄｉｒｅｃｔｉｏｎ＝
ｍｏｄ（ｉｎｄｅｘ＋ｆｌｏｏｒ（ｉｎｄｅｘ／ＰＥＲＩＯＤＩＣＩＴＹ），Ｎ＿ＤＩＲＥＣＴＩＯＮＳ）＋１
この例では、ＰＥＲＩＯＤＩＣＩＴＹ＝３、Ｎ＿ＤＩＲＥＣＴＩＯＮＳ＝３である。オフセットを加算する周期をＰＥＲＩＯＤＩＣＩＴＹとし、指向方向として選択できる領域の数をＮ＿ＤＩＲＥＣＴＩＯＮＳとする。図１０の指向方向設定に用いられる式３０１と比較して、ｆｌｏｏｒ（ｉｎｄｅｘ／ＰＥＲＩＯＤＩＣＩＴＹ）が加算されていることにより、ＰＥＲＩＯＤＩＣＩＴＹで決まる周期ごとにオフセット値が変化し、指向方向の設定値を変化させている。なお、ｆｌｏｏｒ（数値、基準値）は、基準値の倍数のうち、最も近い値に数値を切り下げて返す関数である。
【００４５】
なお、複数の制御信号のうちの２つの送信周期の比（図９の例では３：１であり、比の値は３）と、複数の領域の数（図９の例では３）とが同じ場合に、送信周期が重なるタイミングでオフセット分ずらした領域を選択し、それ以外は通常のように選択するようにしてもよい。また、オフセットは、上述の例では１ずつ増加させているがこれに限らず適宜の値のオフセットでもよい。
基地局の装置構成は実施例４と同様であり、以上の処理は領域セレクタ２００で実施されることができる。これによって制御信号の送出されない領域が発生する課題を解決できる。
【００４６】
７．実施例６
本実施例では、ユーザ端末が所在する領域に応じて最適な指向方向を選択して通信し、通信特性を改善する。
図１１は、第６の実施例の無線通信システムの基地局の回路図を示す図である。
本実施例の基地局１００は、領域セレクタ２００、アンテナウェイト保持部２０１、送信データ処理部２０２、受信データ処理部２１２、ウェイト乗算部２０３−１、２０３−２、２１３、送受信スイッチ２０４、アンテナ２０５、送信制御信号処理部２０６、送信ＯＦＤＭ処理部２０８、受信ＯＦＤＭ処理部２１８、ユーザ所在領域保持部２２０、アンテナウェイト検索部２２１−１、２２１−２、２２１−３、ユーザ所在領域検索部２２２、ユーザ所在領域更新部２２３、及び、ユーザ所在領域検出部２２４を構成する。
【００４７】
領域セレクタ２００はそれぞれ制御信号の指向方向を選択するブロックであり、選択した指向方向の識別情報を出力する。アンテナウェイト検索部２２１−１は、アンテナウェイト保持部２０１の表を参照して、領域セレクタ２００から入力された指向方向の領域に対応するアンテナウェイトを出力する。送信制御信号処理部２０６は、上位レイヤから入力された制御信号を処理して、実際に送信する信号に変換する。送信制御信号処理部２０６での処理には送信制御信号のランダム化や、誤り訂正符号化、変調処理などが含まれる。ウェイト乗算部２０３−１は、送信制御信号処理部２０６が生成した信号と、アンテナウェイト検索部２２１−１から入力されるウェイトを乗算して出力する。
【００４８】
ユーザ所在領域検索部２２２は、ユーザ所在領域保持部２２０の表を参照して、上位レイヤから入力された送信データの宛先ユーザＩＤ（宛先識別情報）に対応するユーザ（端末）の所在領域を出力する。
アンテナウェイト検索部２２１−２は、アンテナウェイト保持部２０１の表を参照して、ユーザ所在領域検索部２２２から入力された領域に対応するアンテナウェイトを出力する。
【００４９】
送信データ処理部２０２は上位レイヤから入力されたデータ信号を処理して、実際に送信する信号に変換する。送信データ処理部２０２での処理には送信信号のランダム化や、誤り訂正符号化、変調処理などが含まれる。ウェイト乗算部２０３−２は、送信データ処理部２０２が生成した信号と、アンテナウェイト検索部２２１−２から入力されるウェイトを乗算して出力する。
【００５０】
送信ＯＦＤＭ処理部２０８はウェイト乗算部２０３−１、２０３−２からの入力をサブキャリアに割り当て、フーリエ変換を適用し、サイクリックプレフィックスを付加することでＯＦＤＭシンボルを生成する。
送受信スイッチ２０４は送信ＯＦＤＭ処理部２０８が生成した信号をアンテナ２０５に向けて出力し、アンテナ２０５から入力された信号を受信ＯＦＤＭ処理部２１８に向けて出力する。送受信スイッチ２０４には時間多重複信方式ではスイッチが利用され、周波数多重複信方式では分波器が用いられる。
【００５１】
受信ＯＦＤＭ処理部２１８は、送受信スイッチ２０４から入力された信号から、サイクリックプレフィックスを除去し、逆フーリエ変換を適用して、サブキャリア信号を出力する。ここでは上りリンクにＯＦＤＭ方式が採用された場合の例を示したが、これに限定するものではない。例えば、ＳＣ−ＦＤＭＡ方式が採用されている場合には、ＳＣ−ＦＤＭＡの受信処理をここで適用すればよい。
【００５２】
ユーザ所在領域検出部２２４は、受信ＯＦＤＭ処理部２１８から入力された信号のうち、上位レイヤから入力された受信割り当てユーザＩＤに対する信号を抽出し、その抽出した信号の到来方向を検出し、該当する指向方向の領域の識別子を出力する。
ユーザ所在領域更新部２２３は、上位レイヤから入力された受信割り当てユーザＩＤと、それに対応してユーザ所在領域検出部２２４から出力された領域情報をもとに、ユーザ所在領域保持部２２０の表を更新する。
【００５３】
アンテナウェイト検索部２２１−３は、アンテナウェイト保持部２０１の表を参照して、ユーザ所在領域検出部２２４から入力された領域に対応するアンテナウェイトを出力する。ウェイト乗算部２１３は、受信ＯＦＤＭ処理部２１８から入力された信号と、アンテナウェイト検索部２２１−３から入力されるウェイトを乗算して出力する。受信処理部２１２はウェイト乗算部２１３から入力される信号を処理して、得られたデータを上位レイヤに向けて出力する。受信処理部２１２での処理には受信信号の復調処理や、誤り訂正復号、ランダム化の解除などが含まれる。
【００５４】
送信制御信号の指向方向の切り替えは領域セレクタ２００の出力が切り替わることによって実施される。領域セレクタ２００は例えば上述と同様に、指向方向を切り替えた時刻にカウントを開始し、カウント値が予め定められたしきい値を超えたら指向方向を切り替え、カウント値をクリアしてからカウントを再開する。指向方向の切り替えは、典型的には領域を順に変更していく。あるいは、実施例５の方法によって指向方向を切り替えても良い。
【００５５】
図１３はユーザ所在領域保持部２２０で保持する表の例である。この表は、図１４に示されるユーザ端末の配置を想定した例となっている。図１４で、１００は基地局、１１０はセル、１２０−ｘはユーザ端末（ユーザＩＤ＝ｘ）を示している。
ユーザ所在領域検索部２２２は、入力されるユーザＩＤを図１３の表の中から探し出し、対応する所在領域を出力する。ユーザ所在領域保持部２２０の表は、初期化時には空とし、ユーザ所在領域更新部２２３によってユーザＩＤが追加され、所在領域が更新される。ハンドオーバーによってユーザ端末が他セルへ移ったときや、ユーザ端末との通信がある一定期間途絶えたままになった場合など、ユーザ端末が当該セルに所在しなくなったと判断される場合には、ユーザ所在領域保持部２２０の表から該当するユーザＩＤを削除する。
【００５６】
以上の方法によれば、ユーザ端末が所在する領域に応じて最適な指向方向を選択して通信することが可能であり、通信特性を改善できる。
本願による無線通信基地局に要求されるハードウェアは、従来のＭＩＭＯ−ＯＦＤＭ方式を用いる無線通信基地局と同等であり、信号処理方式を変更するだけで実現可能となる。例えば、広域災害時等において、少数の基地局で広い通信可能領域を得たい場合には、本願の方式を適用するのが好適となる。
【００５７】
８．適用例
［適用例１］
無線通信基地局は、例えば、
セルを分割した複数の領域に応じた指向方向に電波を送信するための複数のアンテナと、
所定時間ごとに、上記複数の領域の一部を選択する領域セレクタと、
上記複数の領域に対応した指向方向を設定するためのアンテナ毎のアンテナウェイトを該領域に対応して保持し、上記領域セレクタで選択された領域に対応するアンテナウェイトを決定するアンテナウェイト保持部と、
制御信号及びデータ信号のいずれか又は双方を含む送信信号と、決定されたアンテナウェイトとに基づいて上記アンテナからの出力信号を作成するウェイト処理部と
を備え、
上記アンテナから、アンテナウェイトに応じた指向方向の電波が送出され、
上記所定時間ごとに、指向方向が切り替わる。
これにより、電波の送信方向を全方向ではなく複数の領域のひとつにして狭くするため、送信電力密度が大きくなり、それに応じて電波の到達距離が延伸される。これにより、基地局がカバーするセル１１０を拡大することができ、より大きなセルで運用可能な基地局を提供できる。
【００５８】
［適用例２］
適用例１に記載の無線通信基地局において、
上記領域セレクタによる領域の切り替えを、スロット又はＯＦＤＭのシンボルの境界で実施されるように制御するタイミング制御部
をさらに備える。
これにより、ＯＦＤＭのシンボル時間内は指向方向が変わらないため、通信特性の劣化を防ぐことができる。
【００５９】
［適用例３］
適用例１に記載の無線通信基地局において、
上記無線通信基地局は複数のセクタを有し、各セクタが上記複数の領域にそれぞれ分割され、
上記領域セレクタで選択される各セクタでの領域は、互いに隣接しないように選択される。
これにより、マルチセクタの構成にも適用できる。また、互いに隣接するセルでは、選択される領域が隣接しないように、領域を順次選択でき、互いに干渉を与えにくくできる。
【００６０】
［適用例４］
適用例３に記載の無線通信基地局において、
各セルでの上記複数の領域は、基地局の周りを特定の方向に回転する順番でセル毎に識別子が付与され、
上記領域セレクタは、上記各セルで選択される領域の識別子が、全セルで同一になるように領域を順次選択する。
これにより、このような規則に従い領域を選択することで、選択される領域が隣接しないように、領域を順次選択でき、互いに干渉を与えにくくできる。
【００６１】
［適用例５］
適用例１に記載の無線通信基地局において、
上記ウェイト処理部は、制御信号に、決定されたアンテナウェイトを乗算して出力信号を作成し、
無線通信基地局は、
データ信号に対して指向方向を制御するデータ指向処理部と、
上記ウェイト処理部からの制御信号と、上記データ指向処理部からのデータ信号を多重してアンテナに出力する多重化部と
をさらに備える。
これにより、制御信号とデータ信号それぞれに最適なアンテナウェイトを乗算できる。
【００６２】
［適用例６］
適用例１に記載の無線通信基地局において、
上記ウェイト処理部は、制御信号に、決定されたアンテナウェイトを乗算して出力信号を作成し、
無線通信基地局は、
データ信号に対してＭＩＭＯ処理を行うＭＩＭＯ処理部と、
上記ウェイト処理部からの制御信号と、上記ＭＩＭＯ処理部からのデータ信号を多重してアンテナに出力する多重化部と
をさらに備える。
これにより、データ信号についてはＭＩＭＯを適用でき、制御信号とデータ信号それぞれに最適なアンテナウェイトを乗算できる。
【００６３】
［適用例７］
適用例１に記載の無線通信基地局において、
上記制御信号は送信周期の異なる複数の制御信号を含み、
上記領域セレクタは、上記複数の制御信号のそれぞれに対して、上記アンテナウェイトによる指向方向を個別に設定し、
各制御信号について、対応する送信周期毎に領域が変更されるように領域が選択される。
これにより、各制御信号について、その送信周期毎に指向方向が切り替わり、制御信号が特定の方向に偏らず、均等に送信されることができる。
【００６４】
［適用例８］
適用例１に記載の無線通信基地局において、
上記制御信号は送信周期の異なる複数の制御信号を含み、
選択された領域に対応する指向方向に該複数の制御信号は送信され、
上記領域セレクタは、所定のルールで領域を順次選択し、制御信号の異なる送信周期が重なるタイミングにおいては、上記ルールから所定のオフセット分ずらした領域を選択する。
これにより、複数の制御信号のいずれかが、特定の領域にのみ送信され、他の領域に送信されない状況を回避できる。例えば複数の制御信号を同じパケットで送信する場合でも、制御信号のいずれかが特定の領域にのみ送信され、他の領域に送信されない状況を回避できる。
【００６５】
［適用例９］
適用例８に記載の無線通信基地局において、
複数の制御信号のうちの２つの送信周期の比と、上記複数の領域の数とが同じ場合に、上記タイミングでオフセット分ずらした領域を選択する。
これにより、複数の制御信号のうちの２つの送信周期の比と、複数の領域の数とが同じ場合に、制御信号のひとつがあるひとつの領域にのみ送信されることを防ぐことができる。
【００６６】
［適用例１０］
適用例１に記載の無線通信基地局において、
制御信号とデータ信号を多重する多重化部をさらに備え、
制御信号とデータ信号に対して、上記アンテナウェイトによる指向方向を別々に設定し、
上記データ信号に設定する指向方向は、上記データ信号の送信宛先であるユーザ端末が所在する指向方向となるように設定される。
これにより、データ信号についてはユーザ端末が所在する領域に応じて最適な指向方向を選択し、制御信号については各領域に順次送信されるよう指向方向を選択できる。
【００６７】
［適用例１１］
適用例１に記載の無線通信基地局において、
上記複数のアンテナを介して受信した受信信号と、決定されたアンテナウェイトとを乗算する受信側ウェイト処理部と
上記受信側ウェイト処理部から出力された信号を復調する受信処理部と
をさらに備え、
上記所定時間ごとに、選択される領域が切り替わる。
これにより、受信側でもアンテナウェイトを用いた処理ができる。領域セレクタ及びアンテナウェイト保持部は送信側と共用できる。
【００６８】
［適用例１２］
適用例１１に記載の無線通信基地局において、
所定時間ごとに、上記複数の領域の一部を選択する受信側領域セレクタと、
上記複数の領域に対応した指向方向を設定するためのアンテナ毎のアンテナウェイトを該領域に対応して保持し、上記受信側領域セレクタで選択された領域に対応するアンテナウェイトを決定する受信側アンテナウェイト保持部と
をさらに備え、
上記受信側ウェイト処理部は、上記受信側アンテナウェイト保持部で決定されたアンテナウェイトを用いる。
これにより、受信側でもアンテナウェイトを用いた処理ができる。領域セレクタ及びアンテナウェイト保持部は送信側と別の構成にできる。
【００６９】
９．その他
なお、本発明は上述した実施例に限定されるものではなく、様々な変形例が含まれる。上記した実施例は本発明を分かりやすく説明するために詳細に説明したのであり、必ずしも説明の全ての構成を備えるものに限定されものではない。
【００７０】
また、上記の各構成、機能、処理部、処理手段等は、それらの一部または全部を、例えば集積回路で設計する等によりハードウェアで実現してもよい。また、各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記憶装置、または、ＩＣカード、ＤＶＤ等の記録媒体に置くことができるし、必要に応じてネットワーク等を介してダウンロードし、各種の記憶装置にインストールすることも可能である。
また、本発明は、例えば、無線端末と通信する基地局に利用可能である。
【符号の説明】
【００７１】
１００  基地局
１１０〜１１２  セル
１２０  端末
２００、２１０  領域セレクタ
２０１、２１１  アンテナウェイト保持部
２０２  送信処理部
２０３、２１３  ウェイト乗算部
２０４  送受信スイッチ
２０５  アンテナ
２０６  送信制御信号処理部
２０７  ＭＩＭＯプリコーダ
２０８  送信ＯＦＤＭ処理部
２１２  受信処理部
２１４  タイミング制御部
２１５  セクタ処理部
２１６  受信制御信号処理部
２１７  ＭＩＭＯデコーダ
２１８  受信ＯＦＤＭ処理部
２２０  ユーザ所在領域保持部
２２１  アンテナウェイト検索部
２２２  ユーザ所在領域検索部
２２３  ユーザ所在領域更新部
２２４  ユーザ所在領域検出部
【図１】
2013251841.tif 000003
【図２】
2013251841.tif 000004
【図３】
2013251841.tif 000005
【図４】
2013251841.tif 000006
【図５】
2013251841.tif 000007
【図６】
2013251841.tif 000008
【図７】
2013251841.tif 000009
【図８】
2013251841.tif 000010
【図９】
2013251841.tif 000011
【図１０】
2013251841.tif 000012
【図１１】
2013251841.tif 000013
【図１２】
2013251841.tif 000014
【図１３】
2013251841.tif 000015
【図１４】
2013251841.tif 000016